(57)【要約】      （修正有）【課題】直観的に前後を識別しやすい吸収性物品を提供する。【解決手段】互いに交差する上下方向と左右方向と前後方向とを有する吸収性物品１であって、前後方向において、前側部２、及び、前側部２とは機能の異なる部分を備えた後側部を有し、前側部２には、キャラクターの前姿の少なくとも一部を示す前姿図柄５０が配置され、後側部には、キャラクターの後姿の少なくとも一部を示す後姿図柄が配置されていること。【選択図】図８
0003217273.tif 000002
【実用新案登録請求の範囲】
【請求項１】
互いに交差する上下方向と左右方向と前後方向とを有する吸収性物品であって、
前記前後方向において、前側部、及び、前記前側部とは機能の異なる部分を備えた後側部を有し、
前記前側部には、キャラクターの前姿の少なくとも一部を示す前姿図柄が配置され、
前記後側部には、前記キャラクターの後姿の少なくとも一部を示す後姿図柄が配置されていることを特徴とする吸収性物品。
【請求項２】
請求項１に記載の吸収性物品であって、
前記前姿図柄は、前記キャラクターの上半身の少なくとも一部を示す図柄であり、
前記後姿図柄は、前記キャラクターの下半身の少なくとも一部を示す図柄であることを特徴とする吸収性物品。
【請求項３】
請求項１又は２に記載の吸収性物品であって、
前記後姿図柄の面積の方が、前記前姿図柄の面積よりも大きいことを特徴とする吸収性物品。
【請求項４】
請求項１から３の何れか１項に記載の吸収性物品であって、
前記後姿図柄の上端は、前記前姿図柄の上端よりも上側に位置し、
前記後姿図柄の下端は、前記前姿図柄の下端よりも下側に位置していることを特徴とする吸収性物品。
【請求項５】
請求項１から４の何れか１項に記載の吸収性物品であって、
前記前側部には、着用者の前側に当てられる部位であることを示す文字が配置されていることを特徴とする吸収性物品。
【請求項６】
請求項５に記載の吸収性物品であって、
前記後側部には、着用者の後側に当てられる部位であることを示す文字が配置されていないことを特徴とする吸収性物品。
【請求項７】
請求項１から６の何れか１項に記載の吸収性物品であって、
前胴回り域と、後胴回り域と、股下域とを有し、前記前胴回り域及び前記後胴回り域それぞれの前記左右方向の両側端部同士が接合されたパンツ型の前記吸収性物品であり、
前記前胴回り域及び前記後胴回り域は、前記左右方向に伸縮する伸縮性部材を備えることを特徴とする吸収性物品。
【請求項８】
請求項７に記載の吸収性物品であって、
前記前姿図柄と重なる前記伸縮性部材の伸縮部の長さは、前記後姿図柄と重なる前記伸縮性部材の伸縮部の長さよりも短いことを特徴とする吸収性物品。
【請求項９】
請求項７又は８に記載の吸収性物品であって、
着用者の前側又は後側に当てられる部位であることを示す文字は、前記股下域に配置されていることを特徴とする吸収性物品。
【請求項１０】
請求項７から９の何れか１項に記載の吸収性物品であって、
前記後姿図柄は、前記後胴回り域から前記股下域にかけて配置されていることを特徴とする吸収性物品。
【請求項１１】
請求項１０に記載の吸収性物品であって、
前記後胴回り域に配置されている前記後姿図柄の面積は、前記股下域に配置されている前記後姿図柄の面積よりも大きいことを特徴とする吸収性物品。
【請求項１２】
請求項７から１１の何れか１項に記載の吸収性物品であって、
前記前姿図柄は、前記前胴回り域から前記股下域にかけて配置されていることを特徴とする吸収性物品。
【請求項１３】
請求項１１又は１２に記載の吸収性物品であって、
前記股下域に配置されている前記後姿図柄の面積を前記後姿図柄全体の面積で除した値は、前記股下域に配置されている前記前姿図柄の面積を前記前姿図柄全体の面積で除した値よりも大きいことを特徴とする吸収性物品。
【請求項１４】
請求項７から１３の何れか１項に記載の吸収性物品であって、
前記左右方向における前記後胴回り域の中央部に、後処理テープが設けられていないことを特徴とする吸収性物品。
【請求項１５】
請求項７から１４の何れか１項に記載の吸収性物品であって、
前記前胴回り域には、前記伸縮性部材として伸縮性シートが設けられ、
前記後胴回り域には、前記伸縮性シートが設けられていないことを特徴とする吸収性物品。
【請求項１６】
請求項１から１５の何れか１項に記載の吸収性物品であって、
前胴回り域と、後胴回り域と、股下域とを有し、
前記後胴回り域には、前記左右方向へ延びる胴回り当接部よりも非肌側に位置し、かつ、前記左右方向の中央部において前記胴回り当接部と前記前後方向に対向し、前記股下域側へ開口可能なポケットが設けられ、
前記前胴回り域には、前記ポケットが設けられていないことを特徴とする吸収性物品。
【請求項１７】
請求項１から１６の何れか１項に記載の吸収性物品であって、
吸収性コアを有し、
前記吸収性コアは、前記左右方向の幅が前記吸収性コアの上端よりも狭いくびれ部を備えており、
前記前側部に配置されている前記くびれ部の前記上下方向の長さは、前記後側部に配置されている前記くびれ部の前記上下方向の長さよりも長いことを特徴とする吸収性物品。
【請求項１８】
請求項１から１７の何れか１項に記載の吸収性物品であって、
前記後側部には、その肌側面に、親水性繊維を含む吸汗性シートが設けられ、
前記前側部には、前記吸汗性シートが設けられていないことを特徴とする吸収性物品。
【考案の詳細な説明】
【技術分野】
【０００１】
本考案は、吸収性物品に関する。
【背景技術】
【０００２】
特許文献１に開示されているパンツ型の紙おむつでは、着用者の腹周りを被覆する腹周り構成部、及び、着用者の背周りを被覆する背周り構成部のうち何れか一方に、触覚により認識される不透液性の前後識別部（例えばポリプロピレン等から形成されたテープ）が、着用者の身体と反対側に露出されるように貼設されている。そのため、おむつを暗い場所で装着する場合や、目が不自由な人が装着する場合にも、おむつの前後の識別を容易に行うことができる。
【先行技術文献】
【特許文献】
【０００３】
【特許文献１】特開２０１０−８２１３２号公報
【考案の概要】
【考案が解決しようとする課題】
【０００４】
しかしながら、特許文献１のおむつの場合、前後識別部が例えば背周り構成部に貼設されている決まりを知らないと、おむつの前後の識別を行えない。そのため、おむつの使用に不慣れな人等は、おむつの前後の識別を容易に行えない。
【０００５】
そこで、本考案は、直観的に前後を識別しやすい吸収性物品の提供を目的とする。
【課題を解決するための手段】
【０００６】
上記目的を達成するための主たる考案は、互いに交差する上下方向と左右方向と前後方向とを有する吸収性物品であって、前記前後方向において、前側部、及び、前記前側部とは機能の異なる部分を備えた後側部を有し、前記前側部には、キャラクターの前姿の少なくとも一部を示す前姿図柄が配置され、前記後側部には、前記キャラクターの後姿の少なくとも一部を示す後姿図柄が配置されていることを特徴とする吸収性物品である。
本考案の他の特徴については、本明細書及び添付図面の記載により明らかにする。
【考案の効果】
【０００７】
本考案によれば、直観的に前後を識別しやすい吸収性物品を提供できる。
【図面の簡単な説明】
【０００８】
【図１】パンツ型使い捨ておむつ１の斜視図である。
【図２】展開かつ伸長状態のおむつ１の平面図である。
【図３】図２のＩＩ線での断面図である。
【図４】変形例のパンツ型おむつ１の説明図である。
【図５】便収容ポケット４０を有する変形例のおむつ１の説明図である。
【図６】便収容ポケット４０を有する変形例のおむつ１の説明図である。
【図７】便収容ポケット４０を有する変形例のおむつ１の説明図である。
【図８】おむつ１のデザインの説明図である。
【図９】おむつ１のデザインの説明図である。
【図１０】おむつ１のデザインの説明図である。
【図１１】おむつ１のデザインの説明図である。
【図１２】おむつ１のデザインの説明図である。
【図１３】おむつ１のデザインの説明図である。
【図１４】おむつ１のデザインの説明図である。
【図１５】おむつ１のデザインの説明図である。
【考案を実施するための形態】
【０００９】
本明細書及び添付図面の記載により、少なくとも以下の事項が明らかとなる。
互いに交差する上下方向と左右方向と前後方向とを有する吸収性物品であって、前記前後方向において、前側部、及び、前記前側部とは機能の異なる部分を備えた後側部を有し、前記前側部には、キャラクターの前姿の少なくとも一部を示す前姿図柄が配置され、前記後側部には、前記キャラクターの後姿の少なくとも一部を示す後姿図柄が配置されていることを特徴とする吸収性物品である。
【００１０】
このような吸収性物品によれば、ユーザーは、前姿図柄及び後姿図柄に基づいて、直観的に吸収性物品の前後を識別できる。
【００１１】
かかる吸収性物品であって、前記前姿図柄は、前記キャラクターの上半身の少なくとも一部を示す図柄であり、前記後姿図柄は、前記キャラクターの下半身の少なくとも一部を示す図柄であることを特徴とする吸収性物品である。
【００１２】
このような吸収性物品によれば、キャラクターの前姿の特徴的な部分が前姿図柄となり、キャラクターの後姿の特徴的な部分が後姿図柄となる。そのため、ユーザーはより直観的に吸収性物品の前後を識別できる。
【００１３】
かかる吸収性物品であって、前記後姿図柄の面積の方が、前記前姿図柄の面積よりも大きいことを特徴とする吸収性物品である。
【００１４】
このような吸収性物品によれば、後側部が前側部よりも目立つため、後側部が大きいという印象（錯覚）をユーザーに付与でき、ユーザーはより直観的に吸収性物品の前後を識別できる。
【００１５】
かかる吸収性物品であって、前記後姿図柄の上端は、前記前姿図柄の上端よりも上側に位置し、前記後姿図柄の下端は、前記前姿図柄の下端よりも下側に位置していることを特徴とする吸収性物品である。
【００１６】
このような吸収性物品によれば、上下方向に後姿図柄を大きくすることができる。
【００１７】
かかる吸収性物品であって、前記前側部には、着用者の前側に当てられる部位であることを示す文字が配置されていることを特徴とする吸収性物品である。
【００１８】
このような吸収性物品によれば、最初に前姿図柄を見たユーザーも、直ぐに吸収性物品の前後を識別できる。
【００１９】
かかる吸収性物品であって、前記後側部には、着用者の後側に当てられる部位であることを示す文字が配置されていないことを特徴とする吸収性物品である。
【００２０】
このような吸収性物品によれば、文字が配置されない分だけ後姿図柄を大きくすることができる。また、後姿図柄を見たユーザーは文字が配置されていなくても、直観的に吸収性物品の前後を識別できる。
【００２１】
かかる吸収性物品であって、前胴回り域と、後胴回り域と、股下域とを有し、前記前胴回り域及び前記後胴回り域それぞれの前記左右方向の両側端部同士が接合されたパンツ型の前記吸収性物品であり、前記前胴回り域及び前記後胴回り域は、前記左右方向に伸縮する伸縮性部材を備えることを特徴とする吸収性物品である。
【００２２】
このような吸収性物品によれば、前後の識別が難しいパンツ型の吸収性物品でも、ユーザーは直観的に吸収性物品の前後を識別できる。
【００２３】
かかる吸収性物品であって、前記前姿図柄と重なる前記伸縮性部材の伸縮部の長さは、前記後姿図柄と重なる前記伸縮性部材の伸縮部の長さよりも短いことを特徴とする吸収性物品である。
【００２４】
このような吸収性物品によれば、前姿図柄が示すキャラクターの小さいパーツ（例えば耳や目や鼻等）が伸縮性部材の収縮により視認されにくくなることを抑制できる。一方、後姿図柄を大きくすることができる。
【００２５】
かかる吸収性物品であって、着用者の前側又は後側に当てられる部位であることを示す文字は、前記股下域に配置されていることを特徴とする吸収性物品である。
【００２６】
このような吸収性物品によれば、文字が伸縮性部材の収縮により視認されにくくなることを抑制できる。
【００２７】
かかる吸収性物品であって、前記後姿図柄は、前記後胴回り域から前記股下域にかけて配置されていることを特徴とする吸収性物品である。
【００２８】
このような吸収性物品によれば、後姿図柄が大きいため、後姿図柄が認識されやすくなる。
【００２９】
かかる吸収性物品であって、前記後胴回り域に配置されている前記後姿図柄の面積は、前記股下域に配置されている前記後姿図柄の面積よりも大きいことを特徴とする吸収性物品である。
【００３０】
このような吸収性物品によれば、後胴回り域に配置されている伸縮性部材がユーザーに認識されやすくなる。
【００３１】
かかる吸収性物品であって、前記前姿図柄は、前記前胴回り域から前記股下域にかけて配置されていることを特徴とする吸収性物品である。
【００３２】
このような吸収性物品によれば、前姿図柄が大きいため、前姿図柄が認識されやすくなる。
【００３３】
かかる吸収性物品であって、前記股下域に配置されている前記後姿図柄の面積を前記後姿図柄全体の面積で除した値は、前記股下域に配置されている前記前姿図柄の面積を前記前姿図柄全体の面積で除した値よりも大きいことを特徴とする吸収性物品である。
【００３４】
このような吸収性物品によれば、後側部が前側部よりも目立つため、後側部が大きいという印象（錯覚）をユーザーに付与でき、ユーザーはより直観的に吸収性物品の前後を識別できる。
【００３５】
かかる吸収性物品であって、前記左右方向における前記後胴回り域の中央部に、後処理テープが設けられていないことを特徴とする吸収性物品である。
【００３６】
このような吸収性物品によれば、前後の識別が難しい吸収性物品でも、ユーザーは直観的に吸収性物品の前後を識別できる。
【００３７】
かかる吸収性物品であって、前記前胴回り域には、前記伸縮性部材として伸縮性シートが設けられ、前記後胴回り域には、前記伸縮性シートが設けられていないことを特徴とする吸収性物品である。
【００３８】
このような吸収性物品によれば、前胴回り域を面で着用者の腹部に密着させることができ、着用者の腹部の締め付けを抑制できる。
【００３９】
かかる吸収性物品であって、前胴回り域と、後胴回り域と、股下域とを有し、前記後胴回り域には、前記左右方向へ延びる胴回り当接部よりも非肌側に位置し、かつ、前記左右方向の中央部において前記胴回り当接部と前記前後方向に対向し、前記股下域側へ開口可能なポケットが設けられ、前記前胴回り域には、前記ポケットが設けられていないことを特徴とする吸収性物品である。
【００４０】
このような吸収性物品によれば、ポケットに軟便を収容でき、背側からの軟便の漏れを抑制できる。
【００４１】
かかる吸収性物品であって、吸収性コアを有し、前記吸収性コアは、前記左右方向の幅が前記吸収性コアの上端よりも狭いくびれ部を備えており、前記前側部に配置されている前記くびれ部の前記上下方向の長さは、前記後側部に配置されている前記くびれ部の前記上下方向の長さよりも長いことを特徴とする吸収性物品である。
【００４２】
このような吸収性物品によれば、吸収性コアが着用者の身体にフィットし、排泄物の漏れを抑制できる。
【００４３】
かかる吸収性物品であって、前記後側部には、その肌側面に、親水性繊維を含む吸汗性シートが設けられ、前記前側部には、前記吸汗性シートが設けられていないことを特徴とする吸収性物品である。
【００４４】
このような吸収性物品によれば、着用者の背側の汗を吸収でき、あせも等の発生を抑制できる。
【００４５】
＝＝＝実施形態＝＝＝
以下、本考案に係る吸収性物品として、乳幼児用のパンツ型使い捨ておむつを例に挙げて実施形態を説明する。ただし、本考案に係る吸収性物品は、乳幼児用のパンツ型使い捨ておむつに限らず、大人用のパンツ型使い捨ておむつや、テープ型の使い捨ておむつや、生理用ショーツ等にも適用できる。
【００４６】
＝＝＝パンツ型使い捨ておむつ１の構成＝＝＝
図１は、パンツ型使い捨ておむつ１（以下「おむつ」）の斜視図である。図２は、展開かつ伸長状態のおむつ１の平面図である。図３は、図２のＩＩ線での断面図である。
【００４７】
おむつ１は、図１に示すパンツ型状態において、互いに交差する上下方向と左右方向と前後方向とを有し、胴回り開口部ＢＨ、及び、一対の脚回り開口部ＬＨが形成されている。上下方向において胴回り側を上側とし、股下側を下側とする。前後方向において着用者の腹側を前側とし、着用者の背側を後側とする。また、図３に示すように、おむつ１を構成する資材が積層された方向を厚さ方向といい、厚さ方向において着用者に接触する側を肌側とし、着用者に接触しない側を非肌側とする。
【００４８】
また、おむつ１は、平面視長方形状の３部材である、吸収性本体１０、及び、一対のベルト部材２０，３０を有する。一対のベルト部材２０，３０のうち、着用者の腹側部に当てられるものを前ベルト部材２０とし、着用者の背側部に当てられるものを後ベルト部材３０とする。
【００４９】
図２に示す展開状態のおむつ１において、前ベルト部材２０及び後ベルト部材３０は、それらの長手方向がおむつ１の左右方向に沿うように配置されている。そして、左右方向における前ベルト部材２０の中央部に、吸収性本体１０の長手方向一方側の端部が配置され、左右方向における後ベルト部材３０の中央部に、吸収性本体１０の長手方向他方側の端部が配置されている。
【００５０】
図２に示す展開状態のおむつ１において、吸収性本体１０の長手方向がおむつ１の上下方向に沿うように、吸収性本体１０が長手方向の略中央Ｆで二つ折りされ、前ベルト部材２０及び後ベルト部材３０それぞれの左右方向の両側端部同士が接合されて、一対の接合部７が形成されることにより、図１に示すパンツ型状態のおむつ１となる。なお、接合部７における接合方法としては溶着や接着剤等による接合方法を例示できる。
【００５１】
吸収性本体１０は、図３に示すように、吸収体１１と、吸収体１１よりも肌側に配置された液透過性のトップシート１２と、吸収体１１よりも非肌側に配置された液不透過性のバックシート１３と、バックシート１３よりも非肌側に配置された外装シート１４とを有する。外装シート１４は柔軟なシートであることが好ましい。また、左右方向における吸収性本体１０の両側部には、脚回り弾性部材１５が設けられており、おむつ１は着用者の脚回りにフィットする。
【００５２】
吸収体１１は、図２に示すように、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。なお、吸収性コア１１Ａがコアラップシート１１Ｂで覆われていなくてもよい。
【００５３】
前ベルト部材２０及び後ベルト部材３０は、図３に示すように、それぞれ、肌側シート２１，３１と、非肌側シート２２，３２と、左右方向に伸縮する糸ゴム（伸縮性部材）２３，３３とを有する。糸ゴム２３，３３は、肌側シート２１，３１と非肌側シート２２，３２の間において、上下方向に並んで配置されるとともに、左右方向に伸長状態で固定されている。よって、前ベルト部材２０及び後ベルト部材３０は左右方向に伸縮し、着用者の胴回りにフィットする。
【００５４】
以下の説明では、前ベルト部材２０のうち接合部７と上下方向に重なる部位を「前胴回り域４」とし、後ベルト部材３０のうち接合部７と上下方向に重なる部位を「後胴回り域６」とし、前胴回り域４と後胴回り域５の間の部位（すなわち接合部７の下端７ａ間の部位）を「股下域５」とする。図２に示すおむつ１の場合、前ベルト部材２０の全てが前胴回り域４となり、後ベルト部材３０の全てが後胴回り域５となる。
【００５５】
また、図２に示すおむつ１は、前ベルト部材２０と後ベルト部材３０が分離され、前ベルト部材２０と後ベルト部材３０と吸収性本体１０の３部材を有する所謂３ピースタイプである。図示しないが、前ベルト部材と後ベルト部材が股下部材を介して連続した外装部材と、吸収性本体の２部材を有する所謂２ピースタイプのパンツ型おむつであってもよい。この場合も同様に、前胴回り域と後胴回り域を接合する接合部の下端間の部位を股下域とし、接合部と上下方向に重なる部位を前胴回り域及び後胴回り域とする。
【００５６】
＝＝＝前側部２及び後側部３の機能の違い＝＝＝
パンツ型状態のおむつ１において、吸収性本体１０が二つ折りされた折り部Ｆ（すなわちパンツ型状態のおむつ１の下端Ｆ）より前側の部位を「前側部２」とし、折り部Ｆより後側の部位を「後側部３」とする。本実施形態のおむつ１は前後非対称な形状であり、前側部２及び後側部３は、互いに構造が異なる部分であって機能の異なる部分を備えるものとする。
【００５７】
ちなみに、テープ型おむつ（不図示）は、一般に、肌側面を内側として、製品長手方向の略中央で折られた状態で包装されている。よって、テープ型おむつの場合、包装時の折り部よりも前側の部位を前側部とし、包装時の折り部よりも後側の部位を後側部とする。
【００５８】
以下、前側部２及び後側部３の機能の異なる部分の具体例を説明する。おむつ１は、以下に例示する機能の異なる部分を１つ又は複数組み合わせて備えることが好ましい。ただし、以下に例示する部分に限定されず、前側部２及び後側部３がその他の機能の異なる部分を備えていてもよい。
【００５９】
＜異なる部分：第１例＞
図２や図３に示すように、おむつ１の後胴回り域６には、上端部から下端部に亘って糸ゴム３３が設けられている。一方、前胴回り域４の上端部には、左右方向に伸縮する伸縮性部材として、糸ゴムが設けられておらず、伸縮性シート２４が設けられている。
【００６０】
このように、後胴回り域６には伸縮性シートが設けられていないのに対して、前胴回り域４には伸縮性シート２４が設けられていることで、前胴回り域４の上端部が面で着用者に密着する。そのため、局所的な締め付けが抑えられ、伸縮性部材の痕が残りにくくなる。特に乳幼児の腹部はぽっこり出ているため、前胴回り域４の締め付けを抑えることが好ましい。一方、後胴回り域６は、糸ゴム３３によって、しっかりと着用者の背側に密着でき、軟便等の背中漏れを抑制できる。
【００６１】
なお、伸縮性シート２４としては、弾性を有する熱可塑性エラストマー性繊維であるポリウレタン系エラストマーと、非弾性を有する熱可塑性樹脂性繊維であるポリオレフィン系樹脂のポリプロピレン（ＰＰ）とを有する、ギア延伸等の適宜な延伸処理が施された不織布やプラスチック製の伸縮性を有するフィルムシート等を例示できる。
【００６２】
＜異なる部分：第２例＞
前胴回り域４と後胴回り域６には、左右方向に伸縮する伸縮性部材（糸ゴムや伸縮性シート）が設けられているが、上下方向における単位幅あたりの左右方向の伸縮力が異なるとよい。詳しくは、各胴回り域４，６を左右方向に単位長さだけ伸長させる力の大きさを、各胴回り域４，６の上下方向の長さで除した値が異なるとよい。本実施形態では、前胴回り域４の伸縮力を後胴回り域６の伸縮力よりも小さくする。そうすることで、前胴回り域４の弱い伸縮力によって、ぽっこり出ている腹部の締め付けを抑制しつつ、後胴回り域６の強い伸縮力によって、軟便等の背中漏れを抑制できる。
【００６３】
なお、伸縮力を小さくする場合には、例えば、糸ゴムの繊度を小さく（径を細く）したり、伸縮性部材の伸長倍率を低くしたり、伸縮性部材の有効長を短くしたり、上下方向における単位幅あたりの糸ゴムの本数を減らしたり、伸縮性シートの上下方向の幅を短くしたりするとよい。伸縮力を大きくする場合には逆に調整する。伸縮性部材の伸長倍率とは、伸縮性部材の自然長を１としたときの伸び度合いである。伸縮性部材の有効長とは、伸縮性部材が伸縮性を発現する部位の長さであり、伸縮性部材が伸長状態でシートに固定された部位の長さである。
【００６４】
また、胴回り域４，６を左右方向に単位長さだけ伸長させる力の大きさを測定する方法は、周知の方法で行うことができる。例えば、ＳＨＩＭＡＤＺＵ社製オートグラフ（ＡＧＳ−Ｇ１００Ｎ）等の引張試験機を用いて測定できる。
【００６５】
＜異なる部分：第３例＞
おむつ１の着用者は、汗により背側にあせも等が生じやすい。そこで、図２及び図３に示すように、前側部２には、吸汗性シートが設けられていないが、後側部３には、その肌側面に吸汗性シート３４が設けられているとよい。
【００６６】
吸汗性シート３４とは、汗を吸いやすいシートであり、親水性繊維（吸水性繊維）を含むシートとする。好ましくは、あせも等の原因となる菌に対して抗菌作用や殺菌作用を有する薬剤成分が親水性繊維に付着しているとよい。具体的には、疎水性繊維を主とし、少量の親水性繊維を含む肌側層と、親水性繊維を主とする非肌側層とを有する吸汗性シート３４を例示できる。このような吸汗性シート３４の場合、肌側層の親水性繊維で汗を吸い取り、その汗を非肌側層に浸透、拡散できる。また、肌側層の疎水性繊維によって、汗の逆戻りを抑制できる。よって、汗をかいたことによる湿潤感がなくなり、清涼感がもたらされる。よって、おむつ１（後側部３）の着け心地が向上し、あせも等の発生を抑制できる。一方、前側部２に吸汗性シートを設けないことで、おむつ１の低コスト化を図れる。
【００６７】
＜異なる部分：第４例＞
図２に示すように、吸収性コア１１は、左右方向の幅が吸収性コア１１の上端１１ａよりも狭いくびれ部１１Ｃを備えている。そして、前側部２に配置されているくびれ部１１Ｃの上下方向の長さＬ１は、後側部３に配置されているくびれ部１１Ｃの上下方向の長さＬ２よりも長くなっている。つまり、くびれ部１１Ｃは、前後非対称な形状であり、前側部２に寄って配置されているとよい。
【００６８】
これは、おむつ１の着用対象である乳幼児は仰向けで寝ている状態で足を動かしたり、這い歩きしたりと、前側に脚を動かすことが多いからである。そのため、前側部２に寄っているくびれ部１１Ｃが着用者の脚に挟み込まれ、吸収性コア２が着用者の身体にフィットする。そして、上下方向におけるくびれ部１１Ｃの両側の、幅広の吸収性コア２の部位で、排泄物（尿や便）を受け止めることができ、排泄物の漏れを抑制できる。
【００６９】
＜異なる部分：第５例＞
図４は、変形例のパンツ型おむつ１の説明図であり、展開かつ伸長状態のおむつ１の概略平面図である。図４に示すおむつ１の吸収性コア１１Ａには、低坪量部１１Ｄが設けられている。低坪量部１１Ｄとは、周囲に比べて吸収性コア１１Ａの坪量（単位面積当たりの質量[ｇ／ｍ2]）が小さい部位である。また、低坪量部１１Ｄに沿って、吸収性コア１１Ａの少なくとも一部を厚さ方向に圧搾した圧搾部１１Ｅ（エンボス加工部）が設けられている。
【００７０】
低坪量部１１Ｄ及び圧搾部１１Ｅは、吸収性コア１１Ａのくびれ部１１Ｃの側端に沿って形成されている。具体的に説明すると、低坪量部１１Ｄ及び圧搾部１１Ｅは、くびれ部１１Ｃの長手方向の中央部において長手方向に略平行である部位と、その部位から長手方向の両外側に広がった部位とを有する。吸収性コア１１Ａは、低坪量部１１Ｄ及び圧搾部１１Ｅを起点に折れやすい。また、第４例で説明したくびれ部１１Ｃと同様に、低坪量部１１Ｄ及び圧搾部１１Ｅも、前後非対称な形状であり、前側部２に寄って配置されているとよい。そうすることで、くびれ部１１Ｃの長手方向の中央部において、吸収性コア１１Ａは、前側に位置しやすい着用者の脚に挟み込まれた際に折れ曲がりやすく、着用者の身体にフィットする。一方、上下方向におけるくびれ部１１Ｃの両側には、吸収性コア１１Ａの曲げが伝達されにくく、幅広の形状が維持され、排泄物を受け止めることができる。
【００７１】
その他、排尿位置は前側部２寄りとなるため、前側部２の吸収性コア１１Ａの坪量を、後側部３の吸収性コア１１Ａの坪量よりも高くしてもよい。すなわち、前側部２及び後側部３において、吸収性コア１１Ａの坪量の分布を異ならせてもよい。
【００７２】
＜異なる部分：第６例＞
図２に示すおむつ１では、前ベルト部材２０と後ベルト部材３０とが同じ形状であるが、これに限らない。図４に示すように、後ベルト部材３０が、後胴回り域６から下方から延出した延出部３０１を有してもよい。つまり、前側部２及び後側部３において、ベルト部材２０，３０の形状が異なっていてもよい。後ベルト部材３０の延出部３０１によって着用者の臀部を被覆できる。一方、前ベルト部材２０に延出部が設けられていないことで、着用者は前側に脚を動かしやすくなる。
【００７３】
なお、図４に示すおむつの場合も、前胴回り域４と後胴回り域６を接合する接合部７の下端７ａ間の部位を股下域とし、接合部７と上下方向に重なる部位を前胴回り域４及び後胴回り域６とする。
【００７４】
＜異なる部分：第７例＞
図５から図７は、便収容ポケット４０を有する変形例のおむつ１の説明図である。図５は後側から見たおむつ１の斜視図である。図６Ａは後胴回り域６（後ベルト部材３０）側のおむつ１の断面図である。図６Ｂは後胴回り域６の構成を説明する図である。図７Ａから図７Ｄは後胴回り域６を構成する上端部材４１の折り畳み行程を示す図である。
【００７５】
後胴回り域６には、図６Ａに示すように、左右方向へ延びる胴回り当接部４３よりも非肌側に位置し、かつ、左右方向の中央部において胴回り当接部４３と前後方向に対向し、股下域側へ開口可能な便収容ポケット４０が設けられていてもよい。そうすることで、低月齢の乳幼児特有の軟便を便収容ポケット４０に収容でき、背中からの排泄物の漏れを抑制できる。一方、前側には軟便が流れにくいため、前胴回り域４には便収容ポケットが設けられていないことが好ましい。
【００７６】
便収容ポケット４０を備える後胴回り域６は、図６Ｂに示すように、吸収性本体１０の上端部に、肌側から上端部材４１が重ねられ、吸収性本体１０の上端部に、非肌側から下端部材４２が重ねられることによって形成される。上端部材４１及び下端部材４２は、図３に示す後胴回り域６（後ベルト部材３０）と同様に、肌側シート３１と非肌側シート３２との間に糸ゴム３３が固定された部材である。
【００７７】
ただし、上端部材４１は、図７Ａ及び図７Ｂに示すように、左右方向に沿う折り曲げ線ｆ１，ｆ２において、上端部材４１の上端部４３（胴回り当接部４３）と下端部４６とが重なるように折り曲げられている。また、折り曲げ線ｆ１，ｆ２の間の中間部のうち、左右方向の両端部４４は接着剤等で下端部４６に固定され、左右方向の中央部４５は下端部４６に固定されずに下端部４６から離間可能となっている。さらに、図７Ｃ及び図７Ｄに示すように、下端部４６のうち中間部４５と接合されていない部位の左右方向の両側部がそれぞれ上下方向に沿う一対の折り曲げ線ｆ３，ｆ４によって折り重ねられている。よって、上端部材４１の左右方向の中央部では、上端部４３（胴回り当接部４３）に対して、下端部４６が前後方向に対向しつつ、非肌側に立体的に離間可能となっており、便収容ポケット４０が形成される。便収容ポケット４０は、折り曲げ線ｆ１において股下側へ開口可能となっており、折り曲げ線ｆ２により胴回り側へ閉じられた空間となっている。
【００７８】
上記の便収容ポケット４０は一例であり、これに限定されない。例えば、上端部材４１と下端部材４２が一体の部材であってもよいし、図７Ｃに示すように上端部材４１の下端部４６が折り曲げ線ｆ３，ｆ４で折り曲げられていなくてもよい。
【００７９】
＝＝＝前側部２及び後側部３のデザイン＝＝＝
図８から図１５はおむつ１のデザインの説明図である。図８及び図９は第１例のおむつ１を示し、図１０及び図１１は第２例のおむつ１を示し、図１２及び図１３は第３例のおむつ１を示し、図１４及び図１５は第４例のおむつ１を示す。また、図８、図１０、図１２、図１４は、前側部２のデザインを示し、図９、図１１、図１３、図１５は、後側部３のデザインを示す。
【００８０】
前述のように、おむつ１の前側部２及び後側部３は、互いに機能の異なる部分を備える。そのため、おむつ１の前後が誤って装着されてしまうと、着用者の前後の違いに応じたおむつ１の機能が発揮されなくなってしまう。
【００８１】
そこで、本実施形態のおむつ１では、前側部２には、キャラクターの前姿の少なくとも一部を示す前姿図柄５０が配置され、後側部３には、キャラクターの後姿の少なくとも一部を示す後姿図柄５１が配置されている。例えば、第１例のおむつ１の場合、前側部２（図８）には前姿図柄５０としてパンダ（キャラクター）の顔の一部が印刷され、後側部３（図９）には後姿図柄５１としてパンダ（キャラクター）の腰部から臀部に亘る部位と尻尾とが印刷されている。
【００８２】
そうすることで、おむつ１のユーザー（着用者や介助者（着用者の保護者等））は、前姿図柄５０及び後姿図柄５１を視認することで、直観的におむつ１の前後を識別できる。よって、おむつ１の前後が誤って装着されてしまうことを抑制でき、着用者の前後の違いに応じたおむつ１の機能が発揮される。また、スムーズにおむつ１を交換できる。また、前後誤って装着された場合にも、直ぐに誤りに気付くことができる。また、おむつ１に皺やよれが生じている場合、「まえ」や「うしろ」等の文字に比べて、前姿図柄５０や後姿図柄５１の方が認識されやすい。そのため、前姿図柄５０や後姿図柄５１に基づき前後識別を可能にすることで、おむつ１に皺やよれが生じている場合にも前後識別しやすくなる。
【００８３】
テープ型おむつ（不図示）の場合、後胴回り域の両側端部から一対のファスニングテープが延出している。そのため、ユーザーはファスニングテープを基準におむつの前後を識別できる。一方、パンツ型おむつ１はファスニングテープを有さないため、テープ型おむつに比べると、おむつ１の前後の識別が難しい。特に、図１や図２に示すように前ベルト部材２０と後ベルト部材３０が同じ形状である場合、おむつ１の前後の識別がより難しくなる。そのため、前後の識別が難しいパンツ型おむつ１に前姿図柄５０及び後姿図柄５１を配置することは、より有効であるといえる。
【００８４】
ただし、パンツ型おむつには、左右方向における後胴回り域６の中央部に、後処理テープ（不図示）が設けられていることが多い。後処理テープとは、おむつの廃棄時に、おむつを丸めた状態を維持するテープである。後処理テープは、おむつの上下方向に長く、Ｚ字状に折り畳まれている。
【００８５】
パンツ型おむつの使用に慣れているユーザーは、この後処理テープを基準におむつの前後を識別できる。しかし、後処理テープは小さく、透明な部材であり、後胴回り域６に付された図柄と混在して目立ちにくい。そのため、夜間や個室トイレ等の薄暗い空間では、後処理テープを見つけにくく、直ぐにおむつの前後を識別できない。これに対して、前姿図柄５０及び後姿図柄５１は後処理テープよりも目立つため、薄暗い空間でも直ぐにおむつ１の前後を識別できる。
【００８６】
また、前述の便収容ポケット４０を備えるパンツ型おむつ１（図５）等では、左右方向における後胴回り域６の中央部に、後処理テープが設けられていない場合がある。図５に示すおむつ１では、左右方向における後胴回り域６の両側端部に（接合部７付近に）、左右方向に長く、Ｚ字状に折り畳まれた一対の後処理テープ４７が設けられている。しかし、接合部７付近に設けられた一対の後処理テープ４７は、後胴回り域６の中央部に設けられた後処理テープに比べて認知度が低く、おむつ１の前後の識別の基準となりにくい。また、接合部７付近に設けられた後処理テープ４７の場合、一対の胴回り域４，６の何れに付いているのかを一見して判断しにくい。そのため、左右方向における後胴回り域６の中央部に後処理テープが設けられていないパンツ型おむつ１に前姿図柄５０及び後姿図柄５１を配置することは、より有効であるといえる。
【００８７】
また、乳幼児の祖父母等、おむつ１の使用に不慣れなユーザーがおむつ１の交換を行う場合もある。おむつ１の使用に不慣れなユーザーは、テープ型おむつのファスニングテープが付いている側が後側であることや、パンツ型おむつの後処理テープが付いている側が後側であること等の決まりを知らないことが多い。そのため、テープ型おむつにもパンツ型おむつ１にも前姿図柄５０及び後姿図柄５１を配置することで、おむつ１の使用に不慣れなユーザーでも直観的におむつの前後を識別できる。
【００８８】
なお、本実施形態では、前姿図柄５０や後姿図柄５１等の図柄や文字は、吸収性本体１０が有する液不透過性のバックシート１３の非肌側面に印刷されているとする。ただし、図柄や文字は、おむつ１の外側（非肌面側）から視認可能であればよく、例えば、外装シート１４やバックシート１３の肌側面等に印刷されていてもよい。また、前ベルト部材２０及び後ベルト部材３０を構成するシートに、図柄や文字が印刷されていてもよい。
【００８９】
また、図柄となるキャラクターは、おむつ１のユーザーが前姿及び後姿を識別できるものであればよい。具体的には、図示するパンダや猫等の動物、人間、ロボット、架空の生き物等のキャラクターを例示できる。また、同じおむつ１の前側部２及び後側部３には、同じキャラクターの前姿図柄５０及び後姿図柄５１が配置されているとよい。
【００９０】
また、第１例、第２例のおむつ１のように、前姿図柄５０は、キャラクターの上半身の少なくとも一部を示す図柄であり、後姿図柄５１は、キャラクターの下半身の少なくとも一部を示す図柄であるとよい。キャラクターの上半身とは、キャラクターの腰から頭側の部分である。キャラクターの下半身とは、キャラクターの腰から臀部側の部分である。具体的には、前姿図柄５０は、キャラクターの顔や耳や手を示す図柄であるとよく、後姿図柄５１は、キャラクターの臀部や尻尾や脚を示す図柄であるとよい。
【００９１】
キャラクターの前姿は、下半身に比べて上半身の方がより特徴的であり、キャラクターの後姿は、上半身に比べて下半身の方がより特徴的である。そのため、上記の前姿図柄５０及び後姿図柄５１によって、ユーザーはより直観的におむつ１の前後を識別できる。
【００９２】
ただし第３例のおむつ１のように、前姿図柄５０がキャラクター（猫）の全身の前姿を示し、後姿図柄５１がキャラクター（猫）の全身の後姿を示してもよい。また、第４例のおむつ１のように、後姿図柄５１がキャラクターの後頭部を示してもよい。
【００９３】
しかし、上記のように、前姿及び後姿それぞれの特徴的なキャラクターの一部を前姿図柄５０及び後姿図柄５１にすることで、そのキャラクターの一部をより拡大した図柄にできる。具体的には、第２例の前姿図柄５０である猫の顔を、第３例の前姿図柄５０である猫の顔よりも大きくすることができ、第２例の後姿図柄５１である猫の臀部や尻尾を、第３例の後姿図柄５１である猫の臀部や尻尾よりも大きくすることができる。よって、薄暗い場所でおむつ１を交換する場合や、小さい図柄を識別しにくい高齢者（祖父母）がおむつ１を交換する場合にも、ユーザーは前姿図柄５０及び後姿図柄５１を認識しやすく、おむつ１の前後を識別しやすくなる。
【００９４】
また、一般の下着（パンツ）では、臀部を被覆するために前身頃よりも後身頃が大きい場合が多い。そこで、第１例、第２例のおむつ１のように、後姿図柄５１の面積を、前姿図柄５０の面積よりも大きくするとよい。後姿図柄５１の面積を大きくすることで、おむつ１の後側部３が前側部２よりも目立ち、ユーザーに後側部３が大きいという印象（錯覚）を付与できる。よって、ユーザーはより直観的におむつ１の前後を識別できる。
【００９５】
ただし第３例のおむつ１のように前姿図柄５０の面積と後姿図柄５１の面積とが等しくてもよい。また、第４例のおむつ１のように前姿図柄５０の面積の方が後姿図柄５１の面積よりも大きくてもよい。
【００９６】
また、おむつ１の前後方向（厚さ方向）に前側部２及び後側部３が重なった状態において、後姿図柄５１の上端５１ａ（例えば図９参照）は、前姿図柄５０の上端５０ａ（例えば図８参照）よりも上側に位置し、後姿図柄５１の下端５１ｂは、前姿図柄５０の下端５０ｂよりも下側に位置していることが好ましい。
【００９７】
つまり、後側図柄５１の上下方向の長さを、前姿図柄５０の上下方向の長さよりも長くするとよい。そうすることで、おむつ１の後側部３（後側図柄５１）がより目立ち、ユーザーに後側部３が大きいという印象（錯覚）を付与できる。よって、ユーザーはより直観的におむつ１の前後を識別できる。
【００９８】
また、第１例〜第４例のおむつ１のように、前姿図柄５０の少なくとも一部は前胴回り域４に配置され、後姿図柄５１の少なくとも一部は後胴回り域６に配置されているとよい。そうすることで、おむつ１の前側部２の中心部に前姿図柄５０を配置でき、後側部３の中心部に後姿図柄５１を配置できる。よって、ユーザーが前姿図柄５０及び後姿図柄５１を認識しやすくなる。また、おむつ１のデザイン性が向上する。ただし上記に限定されず、前姿図柄５０や後姿図柄５１が股下域５のみに配置されていてもよい。
【００９９】
パンツ型おむつ１の場合、前胴回り域４及び後胴回り域６に、左右方向に伸縮する複数の糸ゴム２３，３３（伸縮性部材）が配置されている。図面には、糸ゴム２３，３３の伸縮部（伸縮性を発現する部位）のみを示している。図８や図９に示すように、上下方向において吸収性本体１０（吸収性コア１１Ａ）と重複する糸ゴムの少なくとも一部（糸ゴム２３ｂ，３３ｂ）は、左右方向における中央部において（すなわち吸収性コア１１Ａと重なる部位において）伸縮部を備えないことが好ましい。そうすることで、吸収性コア１１Ａの平坦性を確保できる。
【０１００】
この場合、前胴回り域４に配置される前姿図柄５０の少なくとも一部、及び、後胴回り域６に配置される後姿図柄５１の少なくとも一部は、吸収性コア１１Ａと重なることが好ましい。そうすることで、おむつ１の平坦な部位に前姿図柄５０及び後姿図柄５１が配置され、前姿図柄５０及び後姿図柄５１の視認性が高まる。
【０１０１】
さらに、前胴回り域４に配置される前姿図柄５０の少なくとも一部、及び、後胴回り域６に配置される後姿図柄５１の少なくとも一部は、糸ゴム２３，３３の伸縮部と重ならないことが好ましい。そうすることで、糸ゴム２３，３３により前姿図柄５０及び後姿図柄５１が収縮することを抑制でき、前姿図柄５０及び後姿図柄５１の視認性が高まる。
【０１０２】
ただし、第１例、第２例のおむつ１のように、後姿図柄５１の上端部は、糸ゴム３３の伸縮部と重なり（すなわち左右方向の中央部で非伸縮部を備えない糸ゴム３３ａと重なり）、前姿図柄５０の上端部は糸ゴム２３の伸縮部と重ならない（すなわち左右方向の中央部で非伸縮部を備えない糸ゴム２３ａと重ならない）ようにしてもよい。つまり、前姿図柄５０と重なる糸ゴム２３の伸縮部の長さは、後姿図柄５１と重なる糸ゴム３３の伸縮部の長さよりも短いことが好ましい。
【０１０３】
そうすることで、後姿図柄５１をより大きくできる（上下方向の長さを長くできる）。また、前姿図柄５０が示すキャラクターのパーツは耳や目や鼻等であり比較的に小さい。そのため、前姿図柄５０が出来る限り糸ゴム２３の伸縮部と重ならないことで、前姿図柄５０が示すキャラクターの小さいパーツが収縮して認識されにくくなることを防止できる。一方、後姿図柄５１が示すキャラクターのパーツは臀部や尻尾等であり比較的に大きい。そのため、後姿図柄５１が糸ゴム３３ａにより多少収縮しても、後姿図柄５１は認識される。
【０１０４】
また、第１例、第２例、第３例のおむつ１のように、後姿図柄５１は、後胴回り域６から股下域５にかけて配置されていることが好ましい。後姿図柄５１が後胴回り域６から股下域５に延出する程に大きいと、薄暗い場所でおむつ１を交換する場合や、高齢者がおむつ１を交換する場合にも、ユーザーは後姿図柄５１を認識しやすく、おむつ１の前後を識別しやすくなる。ただし第４例のおむつ１のように、後姿図柄５１が股下域５に延出していなくてもよい。
【０１０５】
さらに、図９や図１１に示すように、後胴回り域６に配置されている後姿図柄５１の面積は、股下域５に配置されている後姿図柄５１の面積よりも大きいことが好ましい。そうすることで、ユーザーは、後胴回り域６に着目しやすくなり、後胴回り域６に糸ゴム３３が配置されていることを認識しやすくなる。よって、ユーザーは、おむつ１の前後を識別した後に、後胴回り域６及び前胴回り域４を手で広げつつ、乳幼児におむつ１を着用させることができる。また、後胴回り域６はフィット性が良いという印象をユーザーに付与できる。
【０１０６】
また、例えば、図１１に示す後姿図柄５１は、後胴回り域６に配置され且つ糸ゴム３３と重なる部位（収縮する部位）と、後胴回り域６に配置され且つ糸ゴム３３と重ならない部位（収縮しない部位）と、後胴回り域６に配置されない部位とを有する。そのため、猫の後姿図柄５１が同じ色であり同じ濃度で印刷されていても、後姿図柄５１に色のグラデーションが生じ、おむつ１のデザイン性が向上する。
【０１０７】
また、第２例、第３例、第４例のおむつ１のように、前姿図柄５０も、前胴回り域４から股下域５にかけて配置されていることが好ましい。前姿図柄５０が前胴回り域４から股下域５に延出する程に大きいと、薄暗い場所でおむつ１を交換する場合や、高齢者がおむつ１を交換する場合にも、ユーザーは前姿図柄５０を認識しやすく、おむつ１の前後を識別しやすくなる。ただし第１例のおむつのように、前姿図柄５０が股下域５に延出していなくてもよい。
【０１０８】
さらに、第１例、第２例のおむつ１のように、股下域５に配置されている後姿図柄５１の面積を後姿図柄５１全体の面積で除した値は、股下域５に配置されている前姿図柄５０の面積を前姿図柄５０全体の面積で除した値よりも大きいことが好ましい。つまり、後姿図柄５１の方が前姿図柄５０に比べて、股下域５に延出する図柄の割合が大きいことが好ましい。
【０１０９】
そうすることで、おむつ１の後側部３（後姿図柄５１）がより目立ち、ユーザーに後側部３が大きいという印象（錯覚）を付与できる。よって、ユーザーはより直観的におむつ１の前後を識別できる。一方、前側部２には、図８や図９に示すように、着用者の前側に当てられる部位であることを示す前側表記文字５２（例えば「まえ」等）を配置するスペースを確保できる。ただし上記に限定されず、前姿図柄５０の方が後姿図柄５１に比べて、股下域５に延出する図柄の割合が大きくてもよい。また、前姿図柄５０と後姿図柄５１とで股下域５に延出する図柄の割合が等しくてもよい。
【０１１０】
ここまでで説明した各図柄の面積の比較、各図柄の上下方向の位置の比較、各図柄と重なる伸縮性部材の伸縮部の長さの比較については、例えば図２に示すように、おむつ１が伸長した状態（おむつ１に生じていた皺が実質的に視認されなくなる程に伸長した状態）で比較することが好ましい。また、各図柄の面積の比較は周知の方法で行うことができる。例えば、目視で比較したり、面積算出ソフトを利用して、図柄を撮影した画像から面積を算出して比較したりするとよい。
【０１１１】
また、キャラクターの図柄を有する一般のおむつは、前側部にも後側部にもキャラクターの前姿を示す図柄が配置されている。そのため、本実施形態のおむつ１の後姿図柄５１を最初に見たユーザーは、直ぐにおむつ１の前後を識別しやすい。一方、前姿図柄５０を最初に見たユーザーは、後姿図柄５１を確認することで、おむつ１の前後を識別しやすい。そこで、第１例、第２例、第４例のおむつ１のように、前側部２に前側表記文字５２（「まえ」等）を配置することが好ましい。
【０１１２】
そうすることで、最初に前姿図柄５０を見たユーザーも、直ぐにおむつ１の前後を識別できる。また、着用者自身がおむつ１を着用する場合も、介助者が乳幼児におむつ１を着用させる場合にも、前側部２を見ながらおむつ１を着用することが多い。そのため、前側部２に前側表記文字５２を配置することで、着用者や介助者は、おむつ１の前後が正しいことを確認でき、安心しておむつ１を着用したり着用させたりできる。
【０１１３】
これに対して、第１例、第２例のおむつ１のように、後側部３には、着用者の後側に当てられる部位であることを示す後側表記文字（例えば「うしろ」等）が配置されていなくてもよい。そうすることで、後姿図柄５１をより大きくすることができる。また、上記のように、後姿図柄５１を最初に見たユーザーは後側表記文字がなくても、直観的におむつ１の前後を識別しやすい。
【０１１４】
ただし、上記に限らない。第３例のおむつ１のように前側表記文字及び後側表記文字が共に配置されていなくてもよい。逆に、第４例のおむつ１のように前側表記文字５２及び後側表記文字５３が共に配置されていてもよい。また、前側表記文字が配置されず、後側表記文字のみが配置されたおむつ（不図示）であってもよい。
【０１１５】
また、パンツ型おむつ１の場合、前胴回り域４及び後胴回り域６に伸縮性部材（糸ゴム２３，３３や伸縮性シート２４）が配置されている。そのため、前側表記文字５２や後側表記文字５３は股下域５に配置されていることが好ましい。そうすることで、伸縮性部材により前側表記文字５２や後側表記文字５３が収縮して認識されにくくなることを防止できる。
【０１１６】
また、本実施形態のおむつ１では、前姿図柄５０が比較的に大きい。具体的には、前姿図柄５０の上下方向の長さは、前側部２における印刷領域（本実施形態の場合には前側部２に配置されているバックシート１３の部位）の上下方向の長さの３０％以上であることが好ましい。そのような比較的に大きい前姿図柄５０に対して、前側表記文字５２の面積は、前姿図柄５０の面積の１５％以上２５％以下の範囲の大きさであることが好ましい。また、前側表記文字５２の面積は、前側部２における印刷領域（本実施形態の場合には前側部２に配置されているバックシート１３の部位）の２％以上４％以下の範囲の大きさであることが好ましい。なお、前側表記文字５２の面積とは、文字部分だけでなく、文字を囲う図形（例えば図８の場合は略楕円形）の面積とする。
【０１１７】
そうすることで、前側表記文字５２が小さ過ぎて、ユーザーに認識されにくくなることを抑制でき、また、前側表記文字５２が大き過ぎて、おむつ１のデザイン性が低下してしまうことを抑制できる。このように、デザイン性が損なわれない程に、前姿図柄５０及び前側表記文字５２を出来る限り大きくするとよい。そうすることで、薄暗い場所でおむつ１を交換する場合や、高齢者がおむつ１を交換する場合にも、ユーザーは前姿図柄５０及び前側表記文字５２を認識しやすくなる。また、前側表記文字５２が比較的に大きくても、それ以上に前姿図柄５０が大きいため、ユーザーは前姿図柄５０に着目しやすい。よって、前側表記文字５２が大きいことによるデザイン性の低下を軽減できる。
【０１１８】
また、第１例、第２例のおむつ１のように、前側部２に前側表記文字５２が配置され、後側部３に後側表記文字が配置されない場合、例えば図９に示すように、前側表記文字５２と後姿図柄５１とが、おむつ１の前後方向において重なるとよい。さらに、前姿図柄５０の面積と前側表記文字５２の面積との合計面積よりも、後姿図柄５１の面積を大きくしてもよい。それ程に、後姿図柄５１を大きくすることで、薄暗い場所でおむつ１を交換する場合や、高齢者がおむつ１を交換する場合にも、ユーザーは後姿図柄５０を認識しやすくなる。また、おむつ１の後側部３がより目立ち、ユーザーはより直観的におむつ１の前後を識別できる。
【０１１９】
また、第２例のおむつ１のように、前姿図柄５０及び後姿図柄５１とは異なる別の図柄５４が配置されていてもよい。その場合、前姿図柄５０及び後姿図柄５１の各面積は、前側表記文字５２の面積よりも大きく、前側表記文字５２の面積は別の図柄５４の各面積（例えば星の面積やハートの面積等）よりも大きいとよい。そうすることで、前姿図柄５０及び後姿図柄５１がユーザーに最も認識されやすくなり、前側表記文字５２が大きいことによるデザイン性の低下を軽減できる。また、前側表記文字５２が小さ過ぎないため、ユーザーに認識されにくくなることを抑制できる。
【０１２０】
以上、本考案の実施形態について説明したが、上記の実施形態は、本考案の理解を容易にするためのものであり、本考案を限定して解釈するためのものではない。また、本考案は、その趣旨を逸脱することなく、変更や改良され得るとともに、本考案にはその等価物が含まれるのはいうまでもない。
【符号の説明】
【０１２１】
１  パンツ型使い捨ておむつ（吸収性物品）、
２  前側部、３  後側部、
４  前胴回り域、５  股下域、６  後胴回り域、
１０  吸収性本体、１１  吸収体、
１１Ａ  吸収性コア、１１Ｃ  くびれ部、
１２  トップシート、１３  バックシート、１４  外装シート、
２０  前ベルト部材、３０  後ベルト部材、
２１，３１  肌側シート、２２，３２  非肌側シート、
２３，３３  糸ゴム、２４  伸縮性シート、
３４  吸汗性シート、
４０  便収容ポケット（ポケット）、４１  上端部材、４２  下端部材、
４３  上端部（胴回り当接部）、４７  後処理テープ、
５０  前姿図柄、５１  後姿図柄、
５２  前側表記文字（文字）、５３  後側表記文字（文字）
【図１】
0003217273.tif 000003
【図２】
0003217273.tif 000004
【図３】
0003217273.tif 000005
【図４】
0003217273.tif 000006
【図５】
0003217273.tif 000007
【図６】
0003217273.tif 000008
【図７】
0003217273.tif 000009
【図８】
0003217273.tif 000010
【図９】
0003217273.tif 000011
【図１０】
0003217273.tif 000012
【図１１】
0003217273.tif 000013
【図１２】
0003217273.tif 000014
【図１３】
0003217273.tif 000015
【図１４】
0003217273.tif 000016
【図１５】
0003217273.tif 000017